(57)【要約】【課題】第一の壁の壁面と、該第一の壁と略直交する第二の壁の端面との境界面に備えられる見切縁であって、前記第一の壁面に備えられた巾木等との干渉を避けるために形成する切り欠きのサイズ調整がし易く、また、該切り欠きを簡易に形成することのできるものを提案する。【解決手段】既設の壁１１（第一の壁）の壁面と、該既設の壁１１と略直交する間仕切壁６（第二の壁）の端面との境界に備えられる縦見切縁１０に、既設の壁１１の壁面に略平行な基板４２と、該基板４２と略直交する二枚の側板４１・４１とで、平断面形状が前記既設の壁１１側に開放する略コ字状である外枠４３を備え、前記側板４１・４１の板厚内に、単数又は複数の略上下方向の切取溝４１ａ・４１ａを形成した。【選択図】図２
2008008057.tif 000002
【特許請求の範囲】
【請求項１】
第一の壁の壁面と、該第一の壁と略直交する第二の壁の端面との境界に備えられる見切縁であって、
前記第一の壁の壁面に略平行な基板と、該基板と略直交する二枚の側板とで、平断面形状が前記第一の壁側に開放する略コ字状である外枠を備え、
前記側板の板厚内に、単数又は複数の略上下方向の溝を形成したことを特徴とする
見切縁。
【請求項２】
前記見切縁の外枠を構成する基板に、平断面形状が第一の壁側に突出する略凸字状である内枠を一体的に形成し、該内枠の前記第一の壁側にシーリング材を挿入可能な上下方向の溝を形成したことを特徴とする、
請求項１に記載の見切縁。
【発明の詳細な説明】
【技術分野】
【０００１】
本発明は、第一の壁の壁面と、該第一の壁と略直交する第二の壁の端面との境界に備えられる見切縁の構造に関する。
【背景技術】
【０００２】
従来、室内に新たに間仕切壁を設けて、必要に応じて室内を間仕切ることが行われている。室内に面する既設の壁の壁面と、新たに立設する間仕切壁の側端面との間には、間隙を閉塞するとともに、境界面を外観良く仕上げるために見切縁（以下、『縦見切縁』と記載する）が設けられる。
【０００３】
例えば、図９に示すように、間仕切壁６の側端面と当接する既設の壁１１の壁面に、縦見切縁１０が取り付けられる。通常、既設の壁１１の裾には、壁１１と床７との見切縁である巾木８が備えられる。この巾木８と前記縦見切縁１０との干渉を避けるため、該縦見切縁１０の裾には、前記巾木８の形状に沿って切り欠きが予め形成される。
このように縦見切縁１０に切り欠きを形成するために、電動ノコギリ等の大型工具が使用され、また、縦見切縁１０を外観良く仕上げるために熟練した技術が必要とされていた。
【０００４】
そこで、特許文献１では、熟練した技術を要さずに縦見切縁を精度良く取り付けるための技術が提案されている。この縦見切縁（間仕切壁連結装置）は、略板状の基板部の、一方の面にパネル保持用突出部、他方の面に壁面当接用突出部を備えて構成され、該壁面当接用突出部が切除容易に形成される。この壁面当接用突出部は軟質材で構成され、当該壁面当接用突出部の一部が金ヤスリ等で削られて切除され、巾木等を回避するための切り欠きが形成される。また、縦見切縁を鋼製とする場合には、壁面当接用突出部の切除する部分に予め切り込み等を設けておいて、切除を容易とする技術も開示されている。
【０００５】
ところで、既存の壁に取り付けられる巾木は、壁面からの出幅もさることながら、床面からの高さも、様々なサイズのものが存在する。従って、各室内の壁に設けられた巾木の大きさに応じて縦見切縁に切り欠きを形成する必要がある。縦見切縁の汎用性を高めるためには、切り欠きのサイズを調整しやすく、また、切り欠きを形成し易いことが必要となる。
【特許文献１】特開平１１−１７２８１４号公報
【発明の開示】
【発明が解決しようとする課題】
【０００６】
本発明では、第一の壁の壁面と、該第一の壁と略直交する第二の壁の端面との境界面に備えられる見切縁であって、前記第一の壁の壁面に備えられた巾木等との干渉を避けるために形成する切り欠きのサイズ調整がし易く、また、該切り欠きを簡易に形成することのできるものを提案する。
【課題を解決するための手段】
【０００７】
本発明の解決しようとする課題は以上の如くであり、次にこの課題を解決するための手段を説明する。
【０００８】
即ち、請求項１においては、第一の壁の壁面と、該第一の壁と略直交する第二の壁の端面との境界に備えられる見切縁であって、前記第一の壁の壁面に略平行な基板と、該基板と略直交する二枚の側板とで、平断面形状が前記第一の壁側に開放する略コ字状である外枠を備え、前記側板の板厚内に、単数又は複数の略上下方向の溝を形成したものである。
【０００９】
請求項２においては、前記見切縁の外枠を構成する基板に、平断面形状が第一の壁側に突出する略凸字状である内枠を一体的に形成し、該内枠の前記第一の壁側にシーリング材を挿入可能な上下方向の溝を形成したものである。
【発明の効果】
【００１０】
本発明の効果として、以下に示すような効果を奏する。
【００１１】
本発明によれば、予め側板に形成された溝を利用して、第一の壁の壁面に備えられた巾木との干渉を避けるための切り欠きを加工することができるので、該切り欠きのサイズ調整がし易く、歪みなどなく綺麗に仕上げることができる。また、側板に形成された溝を山又は谷として側板を折り曲げることにより該側板を破断できるので、大型工具等を用いずに簡易に切り欠きを形成することができる。
【発明を実施するための最良の形態】
【００１２】
次に、発明の実施の形態を説明する。
図１は本発明の実施例に係る縦見切を備えた既設壁と間仕切壁との当接部の平面断面図、図２は縦見切の下部の斜視図、図３は縦見切の基部の平面断面図、図４は縦見切の裾部の平面断面図である。
図５は切り欠きを形成した縦見切の下部の斜視図、図６は縦見切を既設壁に取り付ける様子を示す正面図、図７は切り欠きを形成した縦見切の裾部の平面断面図、図８は別形態の縦見切の基部の平面断面図である。
図９は間仕切壁を設ける室内の様子を示す図である。
【００１３】
図１に示すように、本発明に係る見切縁は、第一の壁の壁面と、該第一の壁と略直交する第二の壁の端面との境界に備えられ、これらの間隙を閉塞するとともに、これらの境界を外観良く仕上げるためのものである。
【００１４】
本実施例では、前記第一の壁を、裾に巾木８が備えられた既設の壁１１とし、前記第二の壁を、新規に立設する間仕切壁６とする。この間仕切壁６にて、既設の壁１１が面する室内空間が間仕切られる。
前記既設の壁１１の壁面と、該既設の壁１１と略直交する間仕切壁６の端面との境界に、見切縁（以下、『縦見切縁１０』と記載する）が備えられる。該縦見切縁１０は、既設の壁１１に固定される。
【００１５】
前記間仕切壁６は、単数又は複数のパネル１３と、該間仕切壁６の袖部を構成する袖パネル１２とが連設されて成る。
前記袖パネル１２は、略コ字状平断面形状を有する外部フレーム２１と、該外部フレーム２１に印籠嵌入された略コ字状平断面形状を有する内部フレーム２２とで構成され、該内部フレーム２２は図示せぬ付勢部材にて外部フレーム２１から突出する方向に付勢される。前記外部フレーム２１と内部フレーム２２との重複幅が変化することにて、袖パネル１２の幅が可変である。
【００１６】
前記袖パネル１２の側端面を構成する袖パネル１２が、前記縦見切縁１０に圧接される。該袖パネル１２の縦見切縁１０と当接する端面には、略上下方向に伸びる係合突条２２ａ・２２ａが形成される。この係合突条２２ａと縦見切縁１０とが係合することにて、袖パネル１２と縦見切縁１０とが位置決めされるとともに、袖パネル１２の面外方向に移動が規制される。
【００１７】
図２に示すように、前記縦見切縁１０は略上下方向に伸びる長尺部材である。本実施例では、前記縦見切縁１０はアルミニウム製であるが、合成樹脂製とすることもできる。
前記縦見切縁１０は、該縦見切縁１０の大部分を形成する基部Ｌ１と、該縦見切縁１０の裾部分を形成する裾部Ｌ２とで平断面形状が異なる。
【００１８】
図３に示すように、前記縦見切縁１０の基部Ｌ１の平断面形状は、既設の壁１１側に開放する略コ字状に形成された外枠４３と、既設の壁１１側に突出する略凸字状の内枠４４とが一体的に合わさった形状である。但し、前記内枠４４の形状は、縦見切縁１０が取り付けられる壁面の状況（壁面の素材、壁面の形状等）に応じて変更することができる。
【００１９】
前記外枠４３は、既設の壁１１に略平行な基板４２と、該基板４２と略直交する二枚の側板４１・４１とで、平断面形状が既設の壁１１側に開放する略コ字状に形成される。
また、前記内枠４４は、平断面形状が前記基板４２から既設の壁１１側に突出する略凸字状であり、該内枠４４の既設の壁１１側の両端部には、図１に示すように、縦見切縁１０を既設の壁１１に固定する接着剤付きシーリング材であるエプトシーラー１５・１５を挿入するための略上下方向に伸びる溝４５・４５が形成される。
【００２０】
一方、図４に示すように、前記縦見切縁１０の裾部Ｌ２の平断面形状は、前記基部Ｌ１から内枠４４を除いた外枠４３のみの略コ字状である。
前記縦見切縁１０の裾部Ｌ２は、図６に示すように、該縦見切縁１０を既設の壁１１に固定した際に巾木８との干渉を避けるために切り欠きＫが形成される部分であり、縦見切縁１０の下端から裾部Ｌ２の上端までの高さは、前記切り欠きＫが形成されうる程度に十分な大きさが設定される。
【００２１】
前記外枠４３を構成する基板４２の間仕切壁６側の面は、間仕切壁６の側端面との当接面であって、該間仕切壁６の袖パネル１２の内部フレーム２２に形成された係合突条２２ａ・２２ａと係合する、係合溝４２ａ・４２ａが形成される。この係合溝４２ａは、基板４２の板厚内に形成されたやや浅い凹みである。
【００２２】
また、前記外枠４３を構成する側板４１・４１の内側には、切取溝４１ａが形成される。この切取溝４１ａは、側板４１の板厚内に形成されたやや浅い凹みであって、側板４１の上下方向にわたって略垂直に形成される。
前記側板４１の自由端から切取溝４１ａまでの長さＷは、巾木８の既設の壁１１の壁面からの出幅Ｗ０と略等しい大きさとする。
【００２３】
なお、切取溝４１ａは、一枚の側板４１につき一本ずつ設けることに限定されず、例えば、図８に示すように、一枚の側板４１につき略平行に複数の切取溝４１ａを設けることで、一形状の縦見切縁１０にて既設の壁１１からの出幅Ｗ０が異なる巾木８に対応することができる。
【００２４】
図５〜図７に示すように、縦見切縁１０の側板４１の裾部Ｌ２に切り欠きＫを形成すべく該側板４１の一部を切除する際には、先ず、側板４１の下端から高さＨに該当する位置に、該側板４１の自由端から切取溝４１ａに至る略水平方向の切り込みを入れる。なお、前記高さＨは、床７からの巾木８の高さＨ０と略等しい。
続いて、前記切取溝４１ａを山又は谷として、側板４１の下端から高さＨまでの部分を折り曲げる動作を繰り返す。これにより、側板４１は切取溝４１ａにて破断し、切り欠きＫが形成される。折り曲げ動作だけで側板４１の切取溝４１ａが破断しない場合は、該切取溝４１ａに沿って切り込みを入れて、該側板４１の一部を切り欠くことができる。
なお、この切り欠きＫの周囲は、縦見切縁１０の仕上がりを良好とするために、ヤスリ等を用いて削って滑らかな表面にすることが望ましい。
【００２５】
上述のように、予め側板４１に形成された切取溝４１ａを利用して、既設の壁１１の壁面に備えられた巾木８との干渉を避けるための切り欠きＫを加工するので、該切り欠きＫのサイズ調整がし易く、歪みなどなく綺麗に仕上げることができる。また、切取溝４１ａを山又は谷として側板４１を折り曲げることにより該側板４１を破断できるので、大型工具等を用いずに簡易に切り欠きＫを形成することができる。
【図面の簡単な説明】
【００２６】
【図１】本発明の実施例に係る縦見切を備えた既設壁と間仕切壁との当接部の平面断面図。
【図２】縦見切の下部の斜視図。
【図３】縦見切の基部の平面断面図。
【図４】縦見切の裾部の平面断面図。
【図５】切り欠きを形成した縦見切の下部の斜視図。
【図６】縦見切を既設壁に取り付ける様子を示す正面図。
【図７】切り欠きを形成した縦見切の裾部の平面断面図。
【図８】別形態の縦見切の基部の平面断面図。
【図９】間仕切壁を設ける室内の様子を示す図。
【符号の説明】
【００２７】
Ｋ  切り欠き
Ｌ１  基部
Ｌ２  裾部
１０  縦見切縁
４１  側板
４１ａ  切取溝
４２  基板
４３  外枠
４４  内枠
【図１】
2008008057.tif 000003
【図２】
2008008057.tif 000004
【図３】
2008008057.tif 000005
【図４】
2008008057.tif 000006
【図５】
2008008057.tif 000007
【図６】
2008008057.tif 000008
【図７】
2008008057.tif 000009
【図８】
2008008057.tif 000010
【図９】
2008008057.tif 000011